(57)【要約】【課題】  従来、登り水切り熨斗瓦は、屋根地と壁面とが交わる部分に、軒と直角に葺く水切り用の熨斗瓦を指し、熨斗土等で固着後、美観と防水対策に面戸漆喰で仕上げる。この面戸漆喰の施工は、専門職の領域で熟練と手数を要し、コストが嵩む。経年の乾燥・収縮により亀裂・剥落が生じ易く雨漏りの要因となる。また補修後は熨斗土との親和性が崩れ早期に損傷するなど、維持管理上の課題がある。【構成】  半截可能な熨斗本体と、登り方向両側面に設けた一方・他方面戸部と、登り方向上端部に設けた玉縁部でなる面戸付き登り水切り熨斗瓦であって、一方・他方面戸部に形成した切り欠き部を、壁際に葺き上げた棧瓦の重なり段部に衝止し、熨斗本体の表面に対の係止突条を形成し、裏面の登り方向中心部に半截用割線と、対の突起を形成し、一方・他方面戸部裏面裾部に、肉薄部を形成した面戸付き登り水切り熨斗瓦である。【選択図】          図１
2005083004.tif 000002
【特許請求の範囲】
【請求項１】
半截可能な緩やかな曲面形状を呈する熨斗本体と、この熨斗本体の登り方向の一方・他方側面に設けた一方・他方面戸部と、前記熨斗本体と一方・他方面戸部との登り方向の上端部に設けた玉縁部とで構成した面戸付き登り水切り熨斗瓦であって、
この一方・他方面戸部は、登り方向に葺設された二枚の棧瓦に亘って葺き上げる構成であり、この一方・他方面戸部には、前記棧瓦の葺き合わせ段部に対応する切り欠きを形成し、前記熨斗本体の表面に、対の係止突条を形成し、前記熨斗本体の裏面登り方向中心部に、半截用の割線と、この割線を挟むように、対の突起を形成する構成とした面戸付き登り水切り熨斗瓦。
【請求項２】
請求項１に記載の一方・他方面戸部裏面裾部に、面戸形状補正用の肉薄部を形成する構成とした面戸付き登り水切り熨斗瓦。
【発明の詳細な説明】
【技術分野】
【０００１】
本発明は、面戸付き登り水切り熨斗瓦に関する。
【背景技術】
【０００２】
棧瓦と壁面が接する箇所に、軒と直交方向に葺く熨斗瓦を、登り水切り熨斗瓦と称し、図６に示す例が一般的な工法(葺設方法)である。この工法は、軒先側から葺き上げた棧瓦の壁際側端上に、熨斗土を介し登り水切り熨斗瓦を２〜３段積み上げ、棧瓦の葺き合わせ段部との隙間（面戸）から雨水が入り込まないように、面戸漆喰で仕上げる。この面戸漆喰は、技能職の現場作業に委ねられ、コストアップにつながること、施工品質の確保が難しく、雨漏りや美観損傷の誘因となる亀裂剥落が起きやすいこと等、課題が多い。
【０００３】
次に、本発明者による先願技術として、特願２００２−３４８２６１号の棟、隅棟用面戸付き台のし瓦がある。この先願技術は、図７−１、図７−２において示す例の如く、棟用面戸付き台のし瓦を半截して面戸付き登り水切り熨斗瓦に転用できる構成であり、また玉縁を付設して有効長の調整と、連設部の防水が図れること、また従来、課題であった面戸漆喰の省略が図れること等の特徴があり評価できる。しかし、明細書の説明の一部において、軒と平行に葺く水切り熨斗瓦に限定される箇所がある。
【０００４】
【特許文献１】特願２００２−３４８２６１号
【発明の開示】
【発明が解決しようとする課題】
【０００５】
前述の先願技術は、長手方向一方側端に玉縁を形成し、有効長の調整と耐震・耐風雨性の向上を図り、面戸部の裾に肉薄部を形成し形状補正の便を意図した面戸付き台のし瓦の提供にある。従って、施工手間と維持管理に問題があった面戸漆喰仕上げを無用としたこと、経済性重視の簡略施工を目指す画期的な発明であること等よりして進歩性を備えている。しかし、面戸部の構成から登り水切り熨斗瓦としては採用できない課題が残る(多目的用としての利用に幾分課題が考えられる)。
【課題を解決するための手段】
【０００６】
請求項１の発明は、棧瓦と壁面が接する箇所に、軒と直交方向に葺く、半截可能な面戸付き登り水切り熨斗瓦であって、各半截片は左右何れの壁際にも使用でき、早期に発生しやすい亀裂剥落による雨漏り、美観損傷、補修費増嵩等面戸漆喰に起因する弊害の解消を意図する。そして有効長の調整、棧瓦の重なり段部との整合、面戸土への喰込み等により、施工の簡略化、耐震・耐風雨性の向上等を意図する。
【０００７】
請求項１は、半截可能な緩やかな曲面形状を呈する熨斗本体と、この熨斗本体の登り方向の一方・他方側面に設けた一方・他方面戸部と、前記熨斗本体と一方・他方面戸部との登り方向の上端部に設けた玉縁部とで構成した面戸付き登り水切り熨斗瓦であって、
この一方・他方面戸部は、登り方向に葺設された二枚の棧瓦に亘って葺き上げる構成であり、この一方・他方面戸部には、前記棧瓦の葺き合わせ段部に対応する切り欠きを形成し、前記熨斗本体の表面に、対の係止突条を形成し、前記熨斗本体の裏面登り方向中心部に、半截用の割線と、この割線を挟むように、対の突起を形成する構成とした面戸付き登り水切り熨斗瓦である。
【０００８】
請求項２の発明は、請求項１の目的を達成すること、壁際の棧瓦の幅変動（全幅が望ましいが地割りの都合で８割程を限度に切り詰めることが多い）と、棧瓦の効き足等調整に対処する面戸形状の補正に配慮する目的で、前記一方・他方面戸部の裾端のカットを簡便に行うことを意図する。
【０００９】
請求項２は、請求項１に記載の一方・他方面戸部裏面裾部に、面戸形状(又は裾部の高さ寸法等)補正用の肉薄部を形成する構成とした面戸付き登り水切り熨斗瓦である。
【発明の効果】
【００１０】
請求項１の発明は、半截可能な緩やかな曲面形状を呈する熨斗本体と、熨斗本体の登り方向の一方・他方側面に設けた一方・他方面戸部と、熨斗本体と一方・他方面戸部との登り方向の上端部に設けた玉縁部とで構成した面戸付き登り水切り熨斗瓦で、一方・他方面戸部は、登り方向に葺設された二枚の棧瓦に亘って葺き上げる構成であり、一方・他方面戸部には、棧瓦の葺き合わせ段部に対応する切り欠きを形成し、熨斗本体の表面に、対の係止突条を形成し、熨斗本体の裏面登り方向中心部に、半截用の割線と、割線を挟むように、対の突起を形成する構成とした面戸付き登り水切り熨斗瓦である。
【００１１】
従って、請求項１は、棧瓦と壁面が接する箇所に、軒と直交方向に葺く、半截可能な面戸付き登り水切り熨斗瓦であって、各半截片は左右何れの壁際にも使用でき、弊害が多い面戸漆喰の省略、有効長の調整、棧瓦の重なり段部との整合、面戸土への喰込み等により、施工の簡略化、耐震・耐風雨性の向上等が図れる特徴がある。
【００１２】
請求項２の発明は、請求項１に記載の一方・他方面戸部裏面裾部に、面戸形状補正用の肉薄部を形成する構成とした面戸付き登り水切り熨斗瓦である。
【００１３】
従って、請求項２は、請求項１の目的を達成できること、壁際の棧瓦の幅変動（全幅が望ましいが地割りの都合で８割程を限度に切り詰めることが多い）と、棧瓦の効き足調整に対処する面戸形状等の補正に配慮し、一方・他方面戸部の裾端カットの利便が図れること等の特徴がある。
【発明を実施するための最良の形態】
【００１４】
以下、本発明の実施の態様（形態）を、図１〜５を参照して説明する。尚、構成で共通する場合は、同じ記号と名称を使用する。
【００１５】
本発明の面戸付き登り水切り熨斗瓦１は、登り方向Ｘの略中心部で半截可能な緩やかな曲面形状(一例である)を呈する熨斗本体２と、熨斗本体２の登り方向Ｘの一方・他方側面に設けた(側面方向及び／又は登り方向Ｘへの抜き勾配を備える構成の)一方・他方面戸部３、４と、登り方向Ｘ上端部に設けた玉縁部７とで構成する。この面戸付き登り水切り熨斗瓦１は、後述するように半截して使用される。例えば、半截した他方片２ａ又は一方片(半截状態は図示しない)を、壁際Ｈに葺き上げた棧瓦の上に熨斗土Ｈ１を介して葺設する。
【００１６】
前述の面戸付き登り水切り熨斗瓦１の半截は、裏面３００の登り方向Ｘの中心部に設けた割線１４を利用し行う。そこで、半截した一方側の他方片２ａを、壁際Ｈの棧瓦の上に葺設する実施形態を図１、図２、図５を基にして説明する。この他方片２ａの他方面戸部４の切り欠き部５を、壁際Ｈに添って登り方向Ｘに連設した棧瓦Ａ、Ａ１の葺き合わせ段部ｂ１に衝止し、他方片２ａの玉縁部７を、登り方向Ｘの上方に向け葺設して、雨仕舞い強化と、有効長さ（きき丈）の調整の便を図る。そして、壁際Ｈに葺き上げられた棧瓦Ａ、Ａ１の壁側端部ａ１に添って盛られた熨斗土Ｈ１に、他方片２ａの裏面３００に形成した突起１２を食い込ませ安定を図る。また、他方片２ａの表面の係止突条１５は、水切り熨斗瓦３０の葺設の芯材になる熨斗土Ｈ１との馴染みを良くするのに役立つ。この場合、係止突条１５及び突起１２は、乾燥固化した熨斗土Ｈ１に填り込み、他方片２ａが外方へ外れ滑落するのを防止し、耐震効果を発揮できる。
【００１７】
ついで、水切り熨斗瓦３０を、熨斗土Ｈ１を介して２〜３段積み重ねた後に、水切り木熨斗（貫板のし）を壁際Ｈ２の基材（図示せず）に固定した上に、雨押さえとして水切り金物Ｈ５（銅板・亜鉛鉄板等）で覆い美観も整える。さらに捨て谷Ｈ６を二次防水として壁際Ｈ２から屋根地Ｈ３に亘って敷設するのが望ましい施工である。
【００１８】
次に、これまでに葺設した他方片２ａの玉縁部７に、登り方向Ｘ上方に連設する他方片２ａの反玉縁側端部の裏面を削ぎ形状として、葺き合わせ上片部８が被さり、連設部１０における平坦面の確保（葺き合わせ上端面が同一面に納まる）と、雨仕舞いの強化、又はきき丈調整等に役立つ実益がある。そして、この場合、連設部１０における平坦面の確保は、上段に葺かれる水切り熨斗瓦３０の基端(安定台)になり、棟を構築する際に施工性の向上に役立つ特徴がある。尚、熨斗瓦本体２及び一方・他方側面に設けた一方・他方面戸部３、４と、玉縁部７が繋がる略全長に亘る角部は、面を大きく取り生地成型時に素材の流動を良くする手段とする。
【００１９】
また、一方・他方面戸裾部３ａ、４ａの切り欠き部５を、登り方向Ｘの略中央部に形成して段付き傾斜面とし、棧瓦Ａ、Ａ１の葺き合わせ段部ｂ１との整合を図る。この場合、面戸付き登り水切り熨斗瓦１の有効長さＬ１を、棧瓦Ａのきき丈Ｌ２と略同寸法に構成することにより、連設部１０が棧瓦Ａのきき足の略中央に配置され、葺き合わせ段部ｂ１との合致が避けられ、連設部１０に降り込む雨水は、玉縁部７を介して棧瓦Ａ、Ａ１等の表面２００に誘導されることで、雨仕舞いの強化に役立つ特徴がある。
【００２０】
そして、一方・他方面戸裾部３ａ、４ａ及び／又は一方・他方面戸部３、４の略全長に亘る裏面３００に肉薄部４００を形成して、一方・他方面戸部３、４の形状等の調整に便利な構成とする。また一方・他方側面に設けた一方・他方面戸部３、４の反玉縁側裏面は、葺き合わせ上片部８の裏面及び／又は肉薄部４００の裏面と略同じレベルに形成し、玉縁部７の全体の挿入に支障なき構成とする。この場合、肉薄部４００は、大略棧瓦Ａの厚さ相当寸法の幅（面戸の高さ方向）で構成されており、棧瓦Ａ等(棧瓦Ａとする)のきき丈調整に伴って葺き合わせ段部ｂ１が変わる。この変化に対応して切り欠き部５の箇所を移動(登り方向Ｘ)及び／又は高さ(深さ)を変更できるように構成されている。例えば、壁際では、地割りの都合で棧瓦Ａの幅を切り詰めて納める場合が多い。この際には、棧瓦Ａをカットする箇所により、この棧瓦Ａの側端高さが変わり、登り水切り熨斗瓦と棧瓦Ａとの間隔は定まらず、面戸きき丈の調整は避けられないことを考慮した。また屋根の流れ長さや勾配によって、雨仕舞いや美観を考慮した水切り熨斗瓦の勾配が設定され、独特の工法や手順等によって、面戸きき丈の調整を迫られた際にも、的確に対応できる。尚、肉薄部４００は、一方・他方面戸裾部３ａ、４ａの高さ調整としても利用できる。以上の如く、この肉薄部４００を設ける構成は、実用面での種々の利点があり重宝する。
【図面の簡単な説明】
【００２１】
【図１】面戸付き登り水切り熨斗瓦の葺設状態を仰視した模式図
【図２】図１の葺設状態を側面視した模式図
【図３】面戸付き登り水切り熨斗瓦の表面斜視図
【図４】面戸付き登り水切り熨斗瓦の裏面斜視図
【図５】半截した面戸付き登り水切り熨斗瓦の表面斜視図
【図６】従来の登り水切り熨斗瓦の葺設状態を仰視した模式図
【図７−１】先願技術の面戸付き水切り熨斗瓦の葺設状態を側面視した模式図
【図７−２】先願技術の面戸付き水切り熨斗瓦の葺設状態を正面視した模式図
【符号の説明】
【００２２】
１             面戸付き登り水切り熨斗瓦
１ａ           半截した一方片
２             熨斗本体
２ａ           半截した他方片
２００         表面
３             一方面戸部
３ａ           一方面戸裾部
３００         裏面
４             他方面戸部
４ａ           他方面戸裾部
４００         肉薄部
５             切り欠き部
７             玉縁部
８             葺き合わせ上片部
１０           連設部
１２           突起
１４           割線
１５           係止突条
３０           水切り熨斗瓦
Ａ             棧瓦
Ａ１           棧瓦
ａ１           壁側端部
ｂ１           葺き合わせ段部
Ｈ             壁際
Ｈ１           熨斗土
Ｈ２           壁際
Ｈ３           屋根地
Ｈ４           水切り木熨斗
Ｈ５           水切り金物
Ｈ６           捨て谷
Ｌ１           面戸付き登り水切り熨斗瓦の有効長さ
Ｌ２           棧瓦のきき丈
Ｘ             登り方向
【図１】
2005083004.tif 000003
【図２】
2005083004.tif 000004
【図３】
2005083004.tif 000005
【図４】
2005083004.tif 000006
【図５】
2005083004.tif 000007
【図６】
2005083004.tif 000008
【図７−１】
2005083004.tif 000009
【図７−２】
2005083004.tif 000010
【手続補正書】
【提出日】平成15年9月16日(2003.9.16)
【手続補正１】
【補正対象書類名】明細書
【補正対象項目名】全文
【補正方法】変更
【補正の内容】
【発明の詳細な説明】
【技術分野】
【０００１】
本発明は、面戸付き登り水切り熨斗瓦に関する。
【背景技術】
【０００２】
棧瓦と壁面が接する箇所に、軒と直交方向に葺く熨斗瓦を、登り水切り熨斗瓦と称し、図６に示す例が一般的な工法(葺設方法)である。この工法は、軒先側から葺き上げた棧瓦の壁際側端上に、熨斗土を介し水切り熨斗瓦を２〜３段積み上げ、棧瓦の葺き合わせ段部との隙間（面戸）から雨水が入り込まないように、面戸漆喰で仕上げる。この面戸漆喰は、技能職の現場作業に委ねられ、コストアップにつながること、施工品質の確保が難しく、雨漏りや美観損傷の誘因となる亀裂剥落が起きやすいこと等、課題が多い。
【０００３】
次に、本発明者による先願技術として、特願２００２−３４８２６１号の棟、隅棟用面戸付き台のし瓦がある。この先願技術は、図７−１、図７−２において示す例の如く、棟用面戸付き台のし瓦を半截して面戸付き水切り熨斗瓦に転用できる構成であり、また玉縁を付設して有効長の調整と、連設部の防水が図れること、また従来、課題であった面戸漆喰の省略が図れること等の特徴があり評価できる。しかし、明細書の説明の一部において、軒と平行に葺く水切り熨斗瓦に限定される箇所がある。
【０００４】
【特許文献１】特願２００２−３４８２６１号
【発明の開示】
【発明が解決しようとする課題】
【０００５】
前述の先願技術は、長手方向一方側端に玉縁を形成し、有効長の調整と耐震・耐風雨性の向上を図り、面戸部の裾に肉薄部を形成し形状補正の便を意図した面戸付き台のし瓦の提供にある。従って、施工手間と維持管理に問題があった面戸漆喰仕上げを無用としたこと、経済性重視の簡略施工を目指す画期的な発明であること等よりして進歩性を備えている。しかし、面戸部の構成から登り水切り熨斗瓦としては採用できない課題が残る(多目的用としての利用に幾分課題が考えられる)。
【課題を解決するための手段】
【０００６】
請求項１の発明は、棧瓦と壁面が接する箇所に、軒と直交方向に葺く、半截可能な面戸付き登り水切り熨斗瓦であって、各半截片は左右何れの壁際にも使用でき、早期に発生しやすい亀裂剥落による雨漏り、美観損傷、補修費増嵩等面戸漆喰に起因する弊害の解消を意図する。そして有効長の調整、棧瓦の重なり段部との整合、面戸土への喰込み等により、施工の簡略化、耐震・耐風雨性の向上等を意図する。
【０００７】
請求項１は、半截可能な緩やかな曲面形状を呈する熨斗本体と、この熨斗本体の登り方向の一方・他方側面に設けた一方・他方面戸部と、前記熨斗本体と一方・他方面戸部との登り方向の上端部に設けた玉縁部とで構成した面戸付き登り水切り熨斗瓦であって、
この一方・他方面戸部は、登り方向に葺設された二枚の棧瓦に亘って葺き上げる構成であり、この一方・他方面戸部には、前記棧瓦の葺き合わせ段部に対応する切り欠きを形成し、前記熨斗本体の表面に、対の係止突条を形成し、前記熨斗本体の裏面登り方向中心部に、半截用の割線と、この割線を挟むように、対の突起を形成する構成とした面戸付き登り水切り熨斗瓦である。
【０００８】
請求項２の発明は、請求項１の目的を達成すること、壁際の棧瓦の幅変動（全幅が望ましいが地割りの都合で８割程を限度に切り詰めることが多い）と、棧瓦の効き足等調整に対処する面戸形状の補正に配慮する目的で、前記一方・他方面戸部の裾端のカットを簡便に行うことを意図する。
【０００９】
請求項２は、請求項１に記載の一方・他方面戸部裏面裾部に、面戸形状(又は裾部の高さ寸法等)補正用の肉薄部を形成する構成とした面戸付き登り水切り熨斗瓦である。
【発明の効果】
【００１０】
請求項１の発明は、半截可能な緩やかな曲面形状を呈する熨斗本体と、熨斗本体の登り方向の一方・他方側面に設けた一方・他方面戸部と、熨斗本体と一方・他方面戸部との登り方向の上端部に設けた玉縁部とで構成した面戸付き登り水切り熨斗瓦で、一方・他方面戸部は、登り方向に葺設された二枚の棧瓦に亘って葺き上げる構成であり、一方・他方面戸部には、棧瓦の葺き合わせ段部に対応する切り欠きを形成し、熨斗本体の表面に、対の係止突条を形成し、熨斗本体の裏面登り方向中心部に、半截用の割線と、割線を挟むように、対の突起を形成する構成とした面戸付き登り水切り熨斗瓦である。
【００１１】
従って、請求項１は、棧瓦と壁面が接する箇所に、軒と直交方向に葺く、半截可能な面戸付き登り水切り熨斗瓦であって、各半截片は左右何れの壁際にも使用でき、弊害が多い面戸漆喰の省略、有効長の調整、棧瓦の重なり段部との整合、面戸土への喰込み等により、施工の簡略化、耐震・耐風雨性の向上等が図れる特徴がある。
【００１２】
請求項２の発明は、請求項１に記載の一方・他方面戸部裏面裾部に、面戸形状補正用の肉薄部を形成する構成とした面戸付き登り水切り熨斗瓦である。
【００１３】
従って、請求項２は、請求項１の目的を達成できること、壁際の棧瓦の幅変動（全幅が望ましいが地割りの都合で８割程を限度に切り詰めることが多い）と、棧瓦の効き足調整に対処する面戸形状等の補正に配慮し、一方・他方面戸部の裾端カットの利便が図れること等の特徴がある。
【発明を実施するための最良の形態】
【００１４】
以下、本発明の実施の態様（形態）を、図１〜５を参照して説明する。尚、構成で共通する場合は、同じ記号と名称を使用する。
【００１５】
本発明の面戸付き登り水切り熨斗瓦１は、登り方向Ｘの略中心部で半截可能な緩やかな曲面形状(一例である)を呈する熨斗本体２と、熨斗本体２の登り方向Ｘの一方・他方側面に設けた(側面方向及び／又は登り方向Ｘへの抜き勾配を備える構成の)一方・他方面戸部３、４と、登り方向Ｘ上端部に設けた玉縁部７とで構成する。この面戸付き登り水切り熨斗瓦１は、後述するように半截して使用される。例えば、半截した他方片２ａ又は一方片(半截状態は図示しない)を、壁際Ｈに葺き上げた棧瓦の上に熨斗土Ｈ１を介して葺設する。
【００１６】
前述の面戸付き登り水切り熨斗瓦１の半截は、裏面３００の登り方向Ｘの中心部に設けた割線１４を利用し行う。そこで、半截した一方側の他方片２ａを、壁際Ｈの棧瓦の上に葺設する実施形態を図１、図２、図５を基にして説明する。この他方片２ａの他方面戸部４の切り欠き部５を、壁際Ｈに添って登り方向Ｘに連設した棧瓦Ａ、Ａ１の葺き合わせ段部ｂ１に衝止し、他方片２ａの玉縁部７を、登り方向Ｘの上方に向け葺設して、雨仕舞い強化と、有効長さ（きき丈）の調整の便を図る。そして、壁際Ｈに葺き上げられた棧瓦Ａ、Ａ１の壁側端部ａ１に添って盛られた熨斗土Ｈ１に、他方片２ａの裏面３００に形成した突起１２を食い込ませ安定を図る。また、他方片２ａの表面の係止突条１５は、水切り熨斗瓦３０の葺設の芯材になる熨斗土Ｈ１との馴染みを良くするのに役立つ。この場合、係止突条１５及び突起１２は、乾燥固化した熨斗土Ｈ１に填り込み、他方片２ａが外方へ外れ滑落するのを防止し、耐震効果を発揮できる。
【００１７】
ついで、水切り熨斗瓦３０を、熨斗土Ｈ１を介して２〜３段積み重ねた後に、水切り木熨斗（貫板のし）を壁面Ｈ２の基材（図示せず）に固定した上に、雨押さえとして水切り金物Ｈ５（銅板・亜鉛鉄板等）で覆い美観も整える。さらに捨て谷Ｈ６を二次防水として壁面Ｈ２から屋根地Ｈ３に亘って敷設するのが望ましい施工である。
【００１８】
次に、これまでに葺設した他方片２ａの玉縁部７に、登り方向Ｘ上方に連設する他方片２ａの反玉縁側端部の裏面を削ぎ形状として、葺き合わせ上片部８が被さり、連設部１０における平坦面の確保（葺き合わせ上端面が同一面に納まる）と、雨仕舞いの強化、又はきき丈調整等に役立つ実益がある。そして、この場合、連設部１０における平坦面の確保は、上段に葺かれる水切り熨斗瓦３０の基端(安定台)になり、棟を構築する際に施工性の向上に役立つ特徴がある。尚、熨斗瓦本体２及び一方・他方側面に設けた一方・他方面戸部３、４と、玉縁部７が繋がる略全長に亘る角部は、面を大きく取り生地成型時に素材の流動を良くする手段とする。
【００１９】
また、一方・他方面戸裾部３ａ、４ａの切り欠き部５を、登り方向Ｘの略中央部に形成して段付き傾斜面とし、棧瓦Ａ、Ａ１の葺き合わせ段部ｂ１との整合を図る。この場合、面戸付き登り水切り熨斗瓦１の有効長さＬ１を、棧瓦Ａのきき丈Ｌ２と略同寸法に構成することにより、連設部１０が棧瓦Ａのきき足の略中央に配置され、葺き合わせ段部ｂ１との合致が避けられ、連設部１０に降り込む雨水は、玉縁部７を介して棧瓦Ａ、Ａ１等の表面２００に誘導されることで、雨仕舞いの強化に役立つ特徴がある。
【００２０】
そして、一方・他方面戸裾部３ａ、４ａ及び／又は一方・他方面戸部３、４の略全長に亘る裏面３００に肉薄部４００を形成して、一方・他方面戸部３、４の形状等の調整に便利な構成とする。また一方・他方側面に設けた一方・他方面戸部３、４の反玉縁側裏面は、葺き合わせ上片部８の裏面及び／又は肉薄部４００の裏面と略同じレベルに形成し、玉縁部７の全体の挿入に支障なき構成とする。この場合、肉薄部４００は、大略棧瓦Ａの厚さ相当寸法の幅（面戸の高さ方向）で構成されており、棧瓦Ａ等(棧瓦Ａとする)のきき丈調整に伴って葺き合わせ段部ｂ１が変わる。この変化に対応して切り欠き部５の箇所を移動(登り方向Ｘ)及び／又は高さ(深さ)を変更できるように構成されている。例えば、壁際では、地割りの都合で棧瓦Ａの幅を切り詰めて納める場合が多い。この際には、棧瓦Ａをカットする箇所により、この棧瓦Ａの側端高さが変わり、登り水切り熨斗瓦と棧瓦Ａとの間隔は定まらず、面戸きき丈の調整は避けられないことを考慮した。また屋根の流れ長さや勾配によって、雨仕舞いや美観を考慮した登り水切り熨斗瓦の勾配が設定され、独特の工法や手順等によって、面戸きき丈の調整を迫られた際にも、的確に対応できる。尚、肉薄部４００は、一方・他方面戸裾部３ａ、４ａの高さ調整としても利用できる。以上の如く、この肉薄部４００を設ける構成は、実用面での種々の利点があり重宝する。
【図面の簡単な説明】
【００２１】
【図１】面戸付き登り水切り熨斗瓦の葺設状態を仰視した模式図
【図２】図１の葺設状態を側面視した模式図
【図３】面戸付き登り水切り熨斗瓦の表面斜視図
【図４】面戸付き登り水切り熨斗瓦の裏面斜視図
【図５】半截した面戸付き登り水切り熨斗瓦の表面斜視図
【図６】従来の登り水切り熨斗瓦の葺設状態を仰視した模式図
【図７−１】先願技術の面戸付き水切り熨斗瓦の葺設状態を側面視した模式図
【図７−２】先願技術の面戸付き水切り熨斗瓦の葺設状態を正面視した模式図
【符号の説明】
【００２２】
１             面戸付き登り水切り熨斗瓦
１ａ           半截した一方片
２             熨斗本体
２ａ           半截した他方片
２００         表面
３             一方面戸部
３ａ           一方面戸裾部
３００         裏面
４             他方面戸部
４ａ           他方面戸裾部
４００         肉薄部
５             切り欠き部
７             玉縁部
８             葺き合わせ上片部
１０           連設部
１２           突起
１４           割線
１５           係止突条
３０           水切り熨斗瓦
Ａ             棧瓦
Ａ１           棧瓦
ａ１           壁側端部
ｂ１           葺き合わせ段部
Ｈ             壁際
Ｈ１           熨斗土
Ｈ２ 壁面
Ｈ３           屋根地
Ｈ４           水切り木熨斗
Ｈ５           水切り金物
Ｈ６           捨て谷
Ｌ１           面戸付き登り水切り熨斗瓦の有効長さ
Ｌ２           棧瓦のきき丈
Ｘ             登り方向
【手続補正２】
【補正対象書類名】図面
【補正対象項目名】図１
【補正方法】変更
【補正の内容】
【図１】
2005083004.tif 000011